(57)【特許請求の範囲】
【請求項１】
講話を行う話者の音声をその話者と同一空間内に存在する複数の聴取者に聴取させる、講話システムであって、
前記話者の音声を取得するマイク、および
前記マイクから出力された音声信号を送信する送信機を備え、
各々が前記複数の聴取者の各々によって抱擁可能な大きさを有する複数の抱擁体、および
各々が前記抱擁体の各々に設けられ、前記送信機からの前記音声信号を受信し、受信した音声信号に応じた音声を出力する複数の受信機を備え、
各々の聴取者が前記抱擁体を抱擁した状態で、前記受信機から出力される前記話者の音声を聴取する、講話システム。
【請求項２】
前記抱擁体は収納部を有し、前記受信機は前記収納部に収納される、請求項１記載の講話システム。
【請求項３】
前記収納部は、前記抱擁体が聴取者に抱擁されている状態では、その聴取者の耳元に近接する位置に設けられる、請求項２記載の講話システム。
【請求項４】
前記マイクを通した前記話者の音声信号と他の音声信号を混合するミキサをさらに備え、
前記送信機は、前記ミキサによって混合された音声信号を送信する、請求項１ないし３のいずれかに記載の講話システム。
【請求項５】
前記送信機は、ＦＭ信号を送信するＦＭ送信機を含み、
前記受信機は、ＦＭ受信機を含む、請求項１ないし４のいずれかに記載の講話システム。
【請求項６】
前記抱擁体は、人間のミニマルデザインに基づく外観を有する、請求項１ないし５のいずれかに記載の講話システム。
【請求項７】
前記抱擁体の姿勢を検出する検出手段、および
前記検出手段によって特定姿勢が検出されたとき、前記受信機から出力される音声の音量を制御する音量制御手段をさらに備える、請求項１ないし６のいずれかに記載の講話システム。
【請求項８】
音声信号出力手段、前記音声信号出力手段から出力された音声信号を送信する送信手段、各々が前記送信手段から送信された音声信号を受信し、受信した音声信号に応じた音声を出力する複数の受信手段、および各々が１人の聴取者によって抱擁される複数の抱擁体を備え、前記複数の抱擁体の各々に前記受信手段を設け、各々の聴取者が前記抱擁体を抱擁した状態で、前記受信手段から出力される音声を聴取する、講話システムであって、さらに
前記抱擁体の姿勢を検出する検出手段、および
前記検出手段によって特定姿勢が検出されたとき、前記受信手段から出力される音声の音量を制御する音量制御手段をさらに備える、講話システム。
【請求項９】
前記特定姿勢は、前記抱擁体が聴取者から離された姿勢を含み、
前記音量制御手段は、前記抱擁体が聴取者から離された姿勢が検出されたとき、前記受信手段から出力される音声の音量を下げる、請求項８記載の講話システム。
【請求項１０】
前記音量制御手段は、前記抱擁体が聴取者から離された姿勢が検出されている状態では前記受信手段から出力される音声の音量を下げ続け、前記検出手段によって前記抱擁体を抱擁する姿勢が検出されたとき、前記受信手段から出力される音量を下げるのを停止する、請求項９記載の講話システム。
【請求項１１】
前記特定姿勢は、前記抱擁体を聴取者側に傾ける姿勢を含み、
前記音量制御手段は、前記抱擁体を聴取者側に傾ける姿勢が検出されたとき、前記受信手段から出力される音量を上げる、請求項８ないし１０のいずれかに記載の講話システム。
【請求項１２】
前記音量制御手段は、前記抱擁体を聴取者側に傾ける姿勢が検出されている状態では前記受信手段から出力される音声の音量を上げ続け、前記検出手段によって前記抱擁体を抱擁する姿勢が検出されたとき、前記受信手段から出力される音量を上げるのを停止する、請求項１１記載の講話システム。
【請求項１３】
前記特定姿勢は、前記抱擁体が抱擁されていない姿勢を含み、
前記音量制御手段は、前記抱擁体が抱擁されていない姿勢が検出されたとき、音量を最低値にする、請求項８ないし１２のいずれかに記載の講話システム。
【発明の詳細な説明】
【技術分野】
【０００１】
この発明は、講話システムに関し、特にたとえば、複数の人間に話をするときに利用される、講話システムに関する。
【背景技術】
【０００２】
背景技術の一例が特許文献１に開示されている。この特許文献１の電子紙芝居装置を利用すれば、聴取者は表面ディスプレイに表示される絵を複数の視聴者に見せつつ、裏面ディスプレイに表示されたテキストを読み上げることで、紙芝居の内容を複数の視聴者に読み聞かせることが出来る。
【先行技術文献】
【特許文献】
【０００３】
【特許文献１】実用新案登録３１７５９００号[A63J 99/00]
【発明の概要】
【発明が解決しようとする課題】
【０００４】
ところが、特許文献１の電子紙芝居装置を利用して、たとえば小学校の低学年以下の子どもに対して紙芝居の読み聞かせを行った場合、全員が最後まで紙芝居の内容に集中していることは稀であり、一部の子どもは集中力を欠いて紙芝居の視聴を途中でやめてしまうことがある。
【０００５】
それゆえに、この発明の主たる目的は、新規な、講話システムを提供することである。
【０００６】
この発明の他の目的は、聴取者が集中して話を聞くことが出来る、講話システムを提供することである。
【課題を解決するための手段】
【０００７】
この発明は、上記の課題を解決するために、以下の構成を採用した。なお、括弧内の参照符号および補足説明等は、この発明の理解を助けるために記述する実施形態との対応関係を示したものであって、この発明を何ら限定するものではない。
【０００８】
第１の発明は、講話を行う話者の音声をその話者と同一空間内に存在する複数の聴取者に聴取させる、講話システムであって、話者の音声を取得するマイク、およびマイクから出力された音声信号を送信する送信機を備え、各々が複数の聴取者の各々によって抱擁可能な大きさを有する複数の抱擁体、および各々が抱擁体の各々に設けられ、送信機からの音声信号を受信し、受信した音声信号に応じた音声を出力する複数の受信機を備え、各々の聴取者が抱擁体を抱擁した状態で、受信機から出力される話者の音声を聴取する、講話システムである。
【０００９】
第１の発明では、講話システム（１００：実施例において対応する部分を例示する参照符号。以下、同じ。）では、各々が複数の聴取者の各々によって抱擁可能な大きさを有する複数の抱擁体が用いられ、複数の聴取者の各々が各抱擁体を抱擁した状態で、話者の講話を聴く。具体的には、話者の音声に応じた音声信号がマイク（３０）から出力される。送信機（３２）は、その出力された音声信号をたとえば無線信号として送信する。複数の受信機（２０）は、たとえば無線信号として送信された音声信号を受信し、その音声信号に応じた音声を出力する。したがって、各々の聴取者は、抱擁体を抱擁した状態で、受信機から出力される話者の音声を聴取する。
【００１０】
第１の発明によれば、抱擁体を抱擁することで得られる癒しの効果によって、聴取者は、話者の声へ注意を集中するための心理的な余裕を得ることが出来る。したがって、複数の聴取者は集中して話を聞くことが出来る。
【００１１】
第２の発明は、第１の発明に従属し、抱擁体は収納部を有し、受信機は収納部に収納される。
【００１２】
第２の発明では、収納部（１８）は、たとえばポケットと言われることもあり、受信機を収納する。
【００１３】
第２の発明によれば、講話システムの管理者は、受信機に対するメンテナンス作業を容易に行うことが出来る。
【００１４】
第３の発明は、第２に発明に従属し、収納部は、抱擁体が聴取者に抱擁されている状態では、その聴取者の耳元に近接する位置に設けられる。
【００１５】
第３の発明では、抱擁体が聴取者に抱擁されると、その聴取者の耳元に収納部が近接する。
【００１６】
第３の発明によれば、聴取者は、抱擁体を抱擁するだけで、癒しを実感しながら、話者の声を身近に聞くことが出来る。
【００２３】
第４の発明は、第１の発明ないし第３の発明のいずれかに従属し、マイクを通した話者の音声信号と他の音声信号を混合するミキサをさらに備え、送信機は、ミキサによって混合された音声信号を送信する。
【００２４】
第４の発明では、ミキサ（５０）は、話者の音声信号と、たとえば他のマイクやＰＣから出力された音声信号を混合する。そして、混合された音声信号が、送信機によって送信される。
【００２５】
第４の発明によれば、各聴取者は、たとえば複数の話者による話を、聞くことが出来る。
【００２６】
第５の発明は、第１の発明ないし第４の発明のいずれかに従属し、送信機は、ＦＭ信号を送信するＦＭ送信機を含み、受信機は、ＦＭ受信機を含む。
【００２７】
第５の発明では、ＦＭ送信機は、ＦＭトランスミッタとも言われ、ＦＭ信号を送信する。たとえば、ＦＭラジオとも言われる受信機は、ＦＭ送信機から送信されたＦＭ信号を受信する。
【００２８】
第５の発明によれば、一般的に売られているＦＭ受信機およびＦＭ送信機を利用して、講話システムを容易に構築することが出来る。
【００２９】
第６の発明は、第１の発明ないし第５の発明のいずれかに従属し、抱擁体は、人間のミニマルデザインに基づく外観を有する。
【００３０】
第６の発明によれば、抱擁体の外観を人のミニマルデザインとすることで、聴取者の注意が抱擁体に惹かれにくくなり、聴取者が話に集中しやすくなる。
【００３１】
第７の発明は、第１の発明ないし第６の発明のいずれかに従属し、抱擁体の姿勢を検出する検出手段、および検出手段によって特定姿勢が検出されたとき、受信機から出力される音声の音量を制御する音量制御手段をさらに備える。
【００３２】
第７の発明では、検出手段（１２６）は、たとえば加速度センサであり、抱擁体の姿勢を検出する。音量制御手段（１１０，Ｓ５，Ｓ１７，Ｓ２７）は、たとえば特定姿勢が検出されるように抱擁体が抱擁されると、受信機から出力される音声の音量を制御する。
【００３３】
第７の発明によれば、聴取者は、特定姿勢となるように抱擁体を抱擁するだけで、音量を任意に調整することが出来る。
第８の発明は、音声信号出力手段、音声信号出力手段から出力された音声信号を送信する送信手段、各々が送信手段から送信された音声信号を受信し、受信した音声信号に応じた音声を出力する複数の受信手段、および各々が１人の聴取者によって抱擁される複数の抱擁体を備え、複数の抱擁体の各々に受信手段を設け、各々の聴取者が抱擁体を抱擁した状態で、受信手段から出力される音声を聴取する、講話システムであって、さらに抱擁体の姿勢を検出する検出手段、および検出手段によって特定姿勢が検出されたとき、受信手段から出力される音声の音量を制御する音量制御手段をさらに備える、講話システムである。
【００３４】
第９の発明は、第８の発明に従属し、特定姿勢は、抱擁体が聴取者から離された姿勢を含み、音量制御手段は、抱擁体が聴取者から離された姿勢が検出されたとき、受信手段から出力される音声の音量を下げる。
【００３５】
第９の発明では、たとえば聴取者は、抱擁体を離した姿勢にすれば、受信手段から出力される音声の音量が下げられる。
【００３６】
第９の発明によれば、聴取者は抱擁体を自身から離すだけで、音量を下げることが出来る。
【００３７】
第１０の発明は、第９の発明に従属し、音量制御手段は、抱擁体が聴取者から離された姿勢が検出されている状態では受信手段から出力される音声の音量を下げ続け、検出手段によって抱擁体を抱擁する姿勢が検出されたとき、受信手段から出力される音量を下げるのを停止する。
【００３８】
第１０の発明では、たとえば聴取者は、抱擁体を離した状態にし続けることで、音声の音量を下げ続けることが出来る。そして、任意の音量となった後に、聴取者が抱擁体を再び抱擁すれば、音量が下がらなくなる。
【００３９】
第１１の発明は、第８の発明ないし第１０の発明のいずれかに従属し、特定姿勢は、抱擁体を聴取者側に傾ける姿勢を含み、音量制御手段は、抱擁体を聴取者側に傾ける姿勢が検出されたとき、受信手段から出力される音量を上げる。
【００４０】
第１１の発明では、たとえば聴取者は、抱擁体を自身の方に傾ける姿勢にすれば、音量を上げることが出来る。
【００４１】
第１１の発明によれば、音声が聞き取りづらい場合、聴取者は容易に音量を上げることが出来る。
【００４２】
第１２の発明は、第１１の発明に従属し、音量制御手段は、抱擁体を聴取者側に傾ける姿勢が検出されている状態では受信手段から出力される音声の音量を上げ続け、検出手段によって抱擁体を抱擁する姿勢が検出されたとき、受信手段から出力される音量を上げるのを停止する。
【００４３】
第１２の発明では、たとえば聴取者は、抱擁体を自身の方に傾ける姿勢にし続けることで、音声の音量を上げ続けることが出来る。そして、任意の音量となった後に、聴取者が抱擁体を元の状態で抱擁すれば、音量が上がらなくなる。
【００４４】
第１０の発明または第１２の発明によれば、聴取者は、抱擁体の特定姿勢を維持することで、所望の音量になるまで、音量を調整することが出来る。
【００４５】
第１３の発明は、第８の発明ないし第１２の発明のいずれかに従属し、特定姿勢は、抱擁体が抱擁されていない姿勢を含み、音量制御手段は、抱擁体が抱擁されていない姿勢が検出されたとき、音量を最低値にする。
【００４６】
第１３の発明では、たとえば抱擁体が聴取者によって抱擁されなくなると、音量が最低値にされるため、音声が出力されなくなる。
【００４７】
第１３の発明によれば、聴取者によって抱擁されていない抱擁体から出力される音声が他の聴取者に影響を与えないようにすることが出来る。
【発明の効果】
【００４８】
この発明によれば、聴取者は集中して話を聞くことが出来る。
【００４９】
この発明の上述の目的、その他の目的、特徴および利点は、図面を参照して行う以下の実施例の詳細な説明から一層明らかとなろう。
【図面の簡単な説明】
【００５０】
【図１】図１はこの発明の一実施例の講話システムの概要を示す図解図である。
【図２】図２は図１に示す講話システムの構成の一例を示す図解図である。
【図３】図３は図１に示す抱擁体の一例を示す図解図であり、図３（Ａ）は正面側を示し、図３（Ｂ）は背面側を示し、図３（Ｃ）は右側面を示し、図３（Ｄ）は図３（Ｂ）に示す線における断面を示す図解図である。
【図４】図４は図３に示す抱擁体が抱擁されている状態の一例を示す図解図である。
【図５】図５は図１に示す講話システムの構成の他の一例を示す図解図である。
【図６】図６は図１に示す講話システムの構成のその他の一例を示す図解図である。
【図７】図７は図２に示すＦＭ受信機の外観の一例を示す図解図である。
【図８】図８は図７に示すＦＭ受信機の電気的な構成の一例を示す図解図である。
【図９】図９は図８に示す加速度センサによって検出される加速度の３つの軸の一例を示す図解図である。
【図１０】図１０は図７に示すＦＭ受信機と抱擁体との関係の一例を示す図解図であり、図１０（Ａ）は図７に示すＦＭ受信機が抱擁体のポケットに収納されている状態の一例を示し、図１０（Ｂ）は図１０（Ａ）に示すようにＦＭ受信機をポケットに収納している抱擁体が抱擁されている状態の一例を示す。
【図１１】図１１は図７に示すＦＭ受信機におけるピッチ角の変化の一例を示す図解図である。
【図１２】図１２は図３に示す抱擁体が聴取者から離された姿勢の一例を示す図解図である。
【図１３】図１３は図３に示す抱擁体を聴取者に近づけた姿勢の一例を示す図解図である。
【図１４】図１４は図７に示すＦＭ受信機におけるロール角の変化の一例を示す図解図である。
【図１５】図１５は図３に示す抱擁体が抱擁されていない姿勢の一例を示す図解図である。
【図１６】図１６は図８に示すメモリのメモリマップの一例を示す図解図である。
【図１７】図１７は図８に示すプロセッサの音量制御処理の一部の一例を示すフロー図である。
【図１８】図１８は図８に示すプロセッサの音量制御処理の他の一部の一例であって、図１７に後続するフロー図である。
【図１９】図１９は第３実施例で利用される携帯電話機の外観の一例を示す図解図である。
【図２０】図２０は図１９に示す携帯電話機の電気的な構成の一例を示す図解図である。
【図２１】図２１は図２０に示す加速度センサによって検出される加速度の３つの軸の一例を示す図解図である。
【図２２】図２２は図１９に示す携帯電話機が抱擁体のポケットに収納されている状態の一例を示す図解図である。
【発明を実施するための形態】
【００５１】
＜第１実施例＞
図１を参照して、この実施例の講話システム１００は、たとえば話者から複数の聴取者に対して、講話したり、何らかの話を読み聞かせたりするときに利用される。また、「講話」または「読み聞かせ」は、１人またはあるいは少数の話者（話し手）から多人数の聴取者（聞き手）への一方向のコミュニケーションである。そして、本実施例の複数の聴取者の各々は、抱擁体１０を抱擁した状態で話を聞く。
【００５２】
図２は講話システム１００の構成を示す図解図である。図２を参照して、講話システム１００は、抱擁体１０、ＦＭ受信機２０、マイク３０およびＦＭ送信機３２を有する。
【００５３】
抱擁体１０とは、聴取者が腕を回して抱擁（ハグ）できる物体を意味し、聴取者は自分の体に抱擁体１０が密着することによって、安心感を得て、それによって癒しを実感する。また、抱擁体１０の各々には、ＦＭ受信機２０を収納するポケット１８（図３（Ａ）参照）が設けられている。なお、ポケット１８は収納部または収容部と言われることもある。また、抱擁体１０による癒しの効果については、特願２０１３−１４２６７４号を参照されたい。
【００５４】
ＦＭ受信機２０は、ＦＭ放送に準拠したＦＭ信号を受信するものである。本実施例のＦＭ受信機２０は、音声信号を含むＦＭ信号を受信し、その音声信号に応じた音声を出力する。そのため、ＦＭ受信機２０はＦＭラジオ、ラジオまたは受信手段と言われることがある。
【００５５】
マイク３０は、図１に示すように話者によって利用され、ＦＭ送信機３２と接続される。ＦＭ送信機３２は、ＦＭ放送に準拠したＦＭ信号を送信するものである。本実施例のＦＭ送信機３２は、マイク３０から出力された音声信号を含むＦＭ信号（以下、単に「音声信号」と言う）を送信する。なお、ＦＭ送信機３２は、ＦＭトランスミッタまたは送信手段と言われることがある。
【００５６】
そして、ＦＭ送信機３２から送信された音声信号は、各々の抱擁体１０のポケット１８に収納されているＦＭ受信機２０によって受信され、各々のＦＭ受信機２０からは、受信した音声信号に応じた音声が出力される。
【００５７】
たとえば、話者はマイク３０を使用して複数の聴取者に話しかける。各々の聴取者は、抱擁体１０のポケット１８に収納されているＦＭ受信機２０に耳元を近接させた状態で、抱擁体１０を抱擁する。このような状態で、ＦＭ受信機２０が音声信号を受信すると、各々の聴取者はＦＭ受信機２０によって話者の声（言葉）を耳元で聞くことになる。つまり、各々の聴取者は話者の声を身近に聞くことが出来る。そして、聴取者は、ＦＭ受信機２０から聞こえる声と実際の声との間には時差が感じられないため、話者の実際の声が抱擁体１０から聞こえるように感じる。
【００５８】
このように、ＦＭ送信機３２が送信した音声信号は、複数のＦＭ受信機２０によって略同時に受信することが出来るため、話者はマイク３０に音声を入力することで、複数の聴取者に対して同時に語りかけることができる。
【００５９】
また、上述したように、話者から多人数の聴取者への一方向のコミュニケーションであるため、本実施例の講話システム１００ではラジオ放送形式のシステムを採用した。そのため、一般的に売られているＦＭ受信機２０およびＦＭ送信機３２を利用して、講話システム１００を容易に構築することが出来る。
【００６０】
なお、他の実施例では他の放送または通信の形式によって、話者から多人数の聴取者に講話または読み聞かせを行ってもよい。また、本実施例では、複数の聴取者をまとめて聴衆と言うことがある。
【００６１】
図３を参照して、本実施例では、抱擁体１０は、一例として、人間のミニマルデザインに基づく外観、形状を有するように作られる。つまり、本実施例の抱擁体１０の本体１２は、人間の頭に相当してかつ頭と見える頭部１２ａと、その下の、人間の胴体に相当してかつ胴体と見える胴体部１２ｂと、胴体部１２ｂから左右に延びる、人間の手および腕に相当して手および腕と見える腕部１２ｃと、胴体部１２ｂの下部であって人間の足に相当しかつ足と見える足部１２ｄとを含む。抱擁体１０のサイズは、全体として約４０ｃｍの背の高さを有し、太さは聴取者が腕を回して抱擁できる程度の大きさ、たとえば胴体部１２ｂの直径はおよそ６０ｃｍ±２０ｃｍ程度に設定される。
【００６２】
抱擁体１０は、特に図３（Ｄ）の断面図からよくわかるように、たとえば上述のような外観を有する外被１４を含み、この外被１４の中に、内蔵物１６が内蔵される。外被１４は任意の材料からなる生地、たとえば布状の生地、網状の生地、膜またはシート状の生地
などで作ることができるが、本実施例では、たとえばサテンのような布を縫製して作っている。外被１４の材料としては、その他、シリコンや塩化ビニルなどの合成樹脂などが利用可能である。そして、抱擁体１０はその名のとおり、聴取者に抱かせるものであるので、外被１４としては、肌触りのよい素材であって、できるだけ抗菌性や防汚性のあるものが好ましい。
【００６３】
外被１４の中に収容される内蔵物１６は、たとえば発泡ウレタンや綿などを外被１４と同様の形状に予め成形したものであってもよく、たとえば発泡スチロールなど合成樹脂のビーズ（たとえば直径１ｍｍ程度）であってもよい。前者の場合は、内蔵物１６自体が抱擁体１０の外観形状を形成するので、内蔵物１６の上に外被１４を被せるだけでよいが、後者の場合には、内蔵物１６自体は定形を持っていないので、先に準備した外被１４の中にビーズを詰め込むという手順で抱擁体１０を作ることになる。いずれの場合にも、抱擁体１０すなわち内蔵物１６は弾性を持っていても、弾性を持っていなくてもよい。しかしながら、重すぎないことが望ましいので、発泡樹脂などが内蔵物１６の材料として好適する。
【００６４】
さらに、内蔵物１６として、抱擁体１０の外観、形状と同型の合成樹脂やゴムの袋に気体や液体を入れた、風船や水風船などを利用することも考えられる。
【００６５】
このような抱擁体１０の、人間の頭に相当する部分すなわち頭部１２ａの側面、実施例では右側面には、ポケット１８が形成される。このポケット１８は、図３（Ｃ）に示すように、ＦＭ受信機２０をその中に収納するためのものである。そして、ＦＭ受信機２０は、ポケット１８に対して容易に出し入れすることが出来る。したがって、講話システム１００の管理者は、ＦＭ受信機２０に対する電池の入れ替えなどのメンテナンス作業を容易に行うことが出来る。
【００６６】
抱擁体１０の頭部１２ａとその下の胴体部１２ｂとの間にはくびれ部２２が形成されていて、このくびれ部２２は、頭部１２ａの変位を可能にするためのものである。たとえば、頭部１２ａを聴取者の頭の方に引き寄せるように変位させることによって、頭部１２ａのポケット１８に収納されているＦＭ受信機２０を聴取者の耳に近接させることが出来る。つまり、ポケット１８は、抱擁体１０が聴取者に抱擁されている状態では、聴取者の耳元に近接する位置に設けられている。
【００６７】
聴取者は、図４に示すように、右腕および左腕を抱擁体１０の背面に回る様に抱擁する。これにより、抱擁体１０の正面側が聴取者の正面に密着しかつ抱擁体１０の背面にしっかりと両腕が回された状態になる。そして、聴取者の耳元に、ＦＭ受信機２０が収納されたポケット１８が近接した状態になる。これにより、聴取者は、ＦＭ受信機２０から出力される話者の声を身近に聞くことが出来る。また、聴取者は、自分の体に抱擁体１０が密着することによって安心感を得て、それによって癒しを実感する。したがって、聴取者は、抱擁体１０を抱擁するだけで、癒しを実感しながら、話者の声を身近に聞くことが出来る。
【００６８】
以上の説明から分かるように、本実施例では、抱擁体１０を抱擁することで得られる癒しの効果によって、聴取者は、話者の声へ注意を集中するための心理的な余裕を得ることが出来る。したがって、複数の聴取者は集中して話を聞くことが出来る。
【００６９】
ここで、発明者等は、小学校に入学する前の３５人の子ども（聴取者）に対して、抱擁体１０を抱擁した状態の子ども達に話者が読み聞かせを行った場合と、抱擁体１０を抱擁していない状態の子ども達に話者が読み聞かせを行った場合とを比較する実験を行った。
【００７０】
実験結果によれば、抱擁体１０を抱擁した状態の子ども達は、読み聞かせが始まってからしばらくして抱擁体１０を離してしまう子どももいたが、全体を通して常時、半数以上の子どもが抱擁体１０からの声に耳を傾けていた。これに対して、抱擁体１０を抱擁していない状態の子ども達は、話者の話に興味をなくして、歩き回ったり、周囲の子どもと遊び始めたりと注意が分散ししてしまう子どもと、話者の話に集中する子どもとに分かれていた。
【００７１】
このような発明者等の実験結果からは、抱擁体１０を抱擁した状態の子ども達の方が、話者の読み聞かせに集中していたと考えられ、本願発明の効果が十分に発揮されたと考えられる。
【００７２】
また、他の実施例では、図５に示すように、マイク３０に代えて、語りかける話を記録することで作成されたコンテンツを再生することが可能なＰＣ（再生手段）４０がＦＭ送信機３２に接続されてもよい。たとえば、英単語、九九および百人一首などを読み上げる教材のコンテンツは、ＣＤなどの光学ディスクに予め記録されている。
【００７３】
システムの管理者がＰＣ４０を利用してこのような光学ディスクを再生すると、教材のコンテンツの音声に応じた音声信号がＦＭ送信機３２から送信される。そして、複数の聴取者の各々が抱擁している抱擁体１０では、その抱擁体１０のポケット１８に収納されているＦＭ受信機２０から教材のコンテンツの音声が出力される。その結果、複数の聴取者の各々は、再生された教材のコンテンツの音声を身近に聞くことが出来る。
【００７４】
このように、語りかける話は、話者がリアルタイムに話す必要はなく、予め記録しておくことが出来る。そして、管理者は、多人数の聴取者または管理者の都合に合わせて、任意の時間に語りかける話のコンテンツを再生して、複数の聴取者にコンテンツの音声を聞かせることが出来る。特に、上述したように、講話システム１００は容易に構築できるため、管理者は任意の場所でコンテンツを再生することも可能である。
【００７５】
また、本実施例の「話」には、話者が話すものだけでなく、コンテンツによって再生されるものも含まれる。さらに、「話」の内容も、物語や、話者が演じる演目に関するものだけでなく、英単語、九九および百人一首などのように、個々の単語またはフレーズに意味を持つものの羅列であってもよい。
【００７６】
なお、コンテンツには、音声だけを含むものと、音声と画像とを含むものとの両方が含まれる。コンテンツに音声と画像とが含まれている場合は、コンテンツの音声に応じた音声信号だけがＦＭ送信機３２に出力されることになる。また、このような場合は、大画面のディスプレイなどにコンテンツの画像を大きく表示することで、複数の聴取者に対してコンテンツの画像を略同時に見せてもよい。また、複数の聴取者の各々または複数の聴取者をいくつかに分けたグループに対してディスプレイを割り当てることで、コンテンツの画像を複数の聴取者に略同時に見せてもよい。
【００７７】
また、コンテンツが記憶される光学ディスクは、ＣＤ以外に、ＤＶＤ，ＢＤなどの光学ディスクであってもよい。また、この光学ディスクは、ＰＣ４０などの汎用再生機ではなく、ＣＤプレーヤや、ＤＶＤプレーヤなどの専用再生機で再生されてもよい。
【００７８】
さらに、コンテンツは、光学ディスク（光学記憶媒体）ではなく、フレキシブルディスク（磁気記憶媒体）や、ＵＳＢメモリおよびメモリカードなどの記憶媒体に記録されていてもよい。また、これらの記憶媒体に記憶されているコンテンツが、ＰＣ４０のＨＤＤまたはＳＳＤなどの記憶媒体に移されてもよい。さらに、コンテンツはサーバなどからネットワークを通じてＰＣ４０などの再生手段に配信されてもよい。
【００７９】
次に、その他の実施例では、図６に示すように、マイク３０やＰＣ４０に代えて、ミキサ５０がＦＭ送信機３２に接続される。ミキサ５０には、２つのマイク３０および１台のＰＣ４０が接続される。ミキサ５０は、混合器とも呼ばれ、これらの音声信号出力手段から出力された音声信号を混合し、ＦＭ送信機３２に出力する。ミキサ５０で混合された音声信号はＦＭ送信機３２から送信される。そして、各々の抱擁体１０のＦＭ受信機２０では、混合された音声信号に応じた音声が出力される。その結果、複数の聴取者の各々は、２人の話者の話およびＰＣ４０で再生されたコンテンツの音声を身近に聞くことが出来る。つまり、複数の聴取者の各々は、複数の話者による話を、略同時に聞くことが出来る。
【００８０】
たとえば、その他の実施例の講話システム１００は、ＰＣ４０でＢＧＭ（background music）のコンテンツを再生した状態で、２人の話者がそれぞれマイク３０を持って、劇を演じるときに利用することが出来る。
【００８１】
なお、話者の声を集音するマイク３０およびコンテンツなどを再生するＰＣ４０は、音声信号出力手段と言われることもある。また、他の音声信号出力手段として、通常の電話回線またはインターネット回線を利用する電話機（ＩＰ電話機、ＴＶ電話を含む）などが、ＦＭ送信機３２に接続されてもよい。
【００８２】
また、音声信号は、ネットワーク配信形式を利用して送受信されてもよい。たとえば、マイク３０またはＰＣ４０などの音声信号出力手段は、たとえばイントラネットなどのネットワークに接続可能な送信手段と接続される。この場合、ネットワークを介して送信された音声信号は、たとえばスマートフォンなどの受信手段によって受信される。そして、複数のスマートフォンの各々は抱擁体１０のポケット１８に収納され、このようなスマートフォンの各々は、受信した音声信号に応じた音声を出力する。
【００８３】
また、講話システム１００における複数のＦＭ受信機２０または複数のスマートフォンなどの受信手段は、全て同じ機種である必要はない。たとえば、異なるメーカーの異なる機種であってもよく、送信手段が送信した音声信号を略同時に受信できるものであれば、どのような受信手段が用いられてもよい。また、受信手段がスマートフォンなどの場合は、音声信号を受信するためにインストールされるアプリケーションは、講話システム１００の専用アプリケーションであってもよいし、ＵＳＴＲＥＡＭ(登録商標)などで配信されたコンテンツを受信することが可能なように作られた汎用アプリケーションであってもよい。
【００８４】
また、構成の講話システム１００では、話者と複数の聴取者は、同じ部屋に居なくてもよい。たとえば、上述したネットワークを利用する講話システム１００では、話者と複数の聴取者とが同じ建屋の異なる部屋に居てもよいし、複数の聴取者の各々または複数の聴取者をいくつかに分けたグループが異なる部屋に居てもよい。
【００８５】
また、音声信号は、２つ以上の異なる形式を利用して略同時に送信されてもよい。たとえば、本実施例のようにＦＭ信号を利用して送受信するものと、ネットワークを介して配信（送受信）するものとを利用して、音声信号が送信される。この場合、１つのマイク３０から出力された音声信号が、ＦＭ送信機３２とネットワークに接続可能な送信手段とにそれぞれ入力される。これにより、音声信号はラジオ放送形式およびネットワーク配信形式をそれぞれ利用して送信されることになる。このように送信された音声信号は、ＦＭ受信機２０を利用して受信されると共に、スマートフォンなどを利用して受信される。このようにすることで、たとえば話者は、同じ部屋に居る聴取者にはラジオ放送形式を利用して語りかけると共に、異なる部屋に居る聴取者にはネットワーク配信形式を利用して、略同時に語りかけることが出来る。
【００８６】
また、ミキサ５０に接続されるマイク３０およびＰＣ４０の数は、図６に示すものだけに限られず、３本以上のマイク３０および２台以上のＰＣ４０が接続されてもよい。また、マイク３０およびＰＣ４０以外の音声信号出力手段が、マイク３０およびＰＣ４０と同時にミキサ５０に接続されてもよい。また、複数の音声出力手段が接続されるミキサ５０が音声出力手段と言われることもある。
【００８７】
＜第２実施例＞
第２実施例では、抱擁体１０の姿勢が特定姿勢である場合、ＦＭ受信機２０から出力される音声の音量を変化させる。以下、第２実施例について説明するが、講話システム１００の構成、抱擁体１０の外観などは第１実施例と略同じであるため、重複した説明は省略する。
【００８８】
図７は、ＦＭ受信機２０の外観の一例を示す図解図である。図７を参照して、ＦＭ受信機２０は縦長の扁平矩形のハウジング６０を含む。ハウジング６０の主面（表面）には、たとえば液晶や有機ＥＬなどで構成され、表示部として機能するディスプレイ６２が設けられる。ディスプレイ６２の上には、タッチパネル６４が設けられる。さらに、ハウジング６０の縦方向一端の主面側にスピーカ６６が内蔵される。
【００８９】
たとえば、聴取者は、ディスプレイ６２に表示されたソフトキーに対してタッチ操作を行うことで周波数を入力して、所定の周波数で送信されているＦＭ信号を受信し、スピーカ６６によってＦＭ信号に基づく音声を聞くことが出来る。
【００９０】
図８を参照して、図７に示すＦＭ受信機２０は、コンピュータまたはＣＰＵとも言われるプロセッサ１１０などを含む。プロセッサ１１０には、バス１１２を介して、ＦＭ受信回路１１４、Ｄ／Ａ変換器１１８、表示ドライバ１２０、メモリ１２２、タッチパネル制御回路１２４および加速度センサ１２６などが接続される。また、ＦＭ受信回路１１４にはＦＭアンテナ１１６が接続され、Ｄ／Ａ変換器１１８にはスピーカ６６が接続される。
【００９１】
プロセッサ１１０は、ＦＭ受信機２０の動作を制御する。メモリ１２２はＲＯＭおよびＲＡＭを含む。ＲＯＭには、ＦＭ信号の周波数などが記録されている。ＲＡＭには、ＲＯＭに予め設定されているプログラムの全部または一部が使用に際して展開され、プロセッサ１１０はこのＲＡＭ上のプログラムに従って動作する。また、ＲＡＭはさらに、プロセッサ１１０のワーキング領域ないしバッファ領域として用いられる。
【００９２】
ＦＭ受信回路１１４は、ＦＭアンテナ１１６を通して、ＦＭ信号を受信するための回路である。たとえばＦＭ受信機２０の電源がオンにされると、ＦＭ送信機３２などから送信されたＦＭ信号はＦＭアンテナ１１６によって受信される。また、受信されたＦＭ信号には、ＦＭ受信回路１１４によって復調処理および復号処理が施される。
【００９３】
Ｄ／Ａ変換器１１８は、復調処理および復号処理によって得られた受話音声信号、つまりディジタルの音声データをアナログの音声信号に変換して、アンプを介してスピーカ６６に与える。したがって、受信したＦＭ信号に基づく音声がスピーカ６６から出力される。
【００９４】
表示ドライバ１２０には図７に示すディスプレイ６２が接続され、したがって、ディスプレイ６２はプロセッサ１１０から出力される画像データに従って画像を表示する。表示ドライバ１２０は表示するためのデータを一時的に記憶するビデオメモリを含んでおり、プロセッサ１１０から出力されたデータはこのビデオメモリに記憶される。そして、表示ドライバ１２０は、ビデオメモリの内容に従って、ディスプレイ６２に画像を表示する。つまり、表示ドライバ１２０は、プロセッサ１１０の指示の下、当該表示ドライバ１２０に接続されたディスプレイ６２の表示を制御する。
【００９５】
タッチパネル制御回路１２４には、図７に示すタッチパネル６４が接続される。タッチパネル制御回路１２４は、タッチパネル６４に必要な電圧などを付与すると共に、タッチパネル６４に対するタッチの開始を示すタッチ開始信号、タッチの終了を示す終了信号、およびタッチされたタッチ位置を示す座標データをプロセッサ１１０に入力する。
【００９６】
タッチパネル６４は、その表面と指などの物体（以下、便宜上合わせて指と言う。）との間に生じる静電容量の変化を検出する静電容量方式のタッチパネルである。タッチパネル６４は、たとえば１本または複数本の指がタッチパネル６４に触れたことを検出する。したがって、聴取者は、タッチパネル６４の表面に対してタッチ操作を行うことで、操作位置や、操作方向などをＦＭ受信機２０に入力する。そのため、タッチパネル６４はポインティングデバイスと言われることがある。
【００９７】
なお、タッチ操作には、タップ操作、ロングタップ操作、フリック操作、スワイプ（スライド）操作などが含まれる。また、タッチ操作は聴取者の指だけに限らず、スタイラスペンなどによって行われてもよい。
【００９８】
加速度センサ１２６は、検出手段とも言われ、ＦＭ受信機２０の傾きや動きを検出する。たとえば、加速度センサ１２６は、ＦＭ受信機２０における３軸(X,Y,Z)方向の加速度を検出する。また、加速度センサ１２６は、重力を検出することで上述した３軸(X,Y,Z)の回転（角速度）も検出することが可能である。そして、プロセッサ１１０は、加速度センサ１２６が出力する３軸の角速度および３軸方向の加速度に基づいて、ＦＭ受信機２０の傾きや、動きを検出する。
【００９９】
図９はＦＭ受信機２０の加速度センサ１２６によって検出される加速度の３つの軸の一例を示す図解図である。図９に示す姿勢のＦＭ受信機２０に対して横方向がＸ軸となり、ＦＭ受信機２０に対して縦方向がＹ軸となり、ＦＭ受信機２０の裏側から表側の方向がＺ軸となる。そして、第２実施例の加速度センサ１２６は、これらのＸＹＺ軸方向の加速度を検出すると共に、各軸周りの回転角を検出する。
【０１００】
また、第２実施例では、Ｘ軸の回転角をピッチ角と言い、Ｙ軸の回転角をロール角と言い、Ｚ軸の回転角をヨー角と言う。これらのピッチ角、ヨー角およびロール角は、加速度センサ１２６によって検出される重力および加速度を利用して算出される。
【０１０１】
図１０（Ａ）を参照して、ＦＭ受信機２０は、ハウジング６０の上部が上側となり、かつ主面側に内蔵されているスピーカ６６が聴取者の顔に向くように、抱擁体１０のポケット１８に収納される。これにより、図１０（Ｂ）に示すように抱擁体１０が聴取者によって抱擁されると、スピーカ６６（ポケット１８）が聴取者の顔（耳）に近接した状態となる。
【０１０２】
第２実施例では、特定姿勢として、抱擁体１０が聴取者から離された姿勢が検出された場合、出力されている音声の音量が下げられる。以下、音量を下げる処理について具体的に説明する。
【０１０３】
図１１を参照して、ＦＭ受信機２０は、ポケット１８に収納されている状態では、縦向きの状態となる。ピッチ角θｐは、図１１の状態で「０度」となる。また、ハウジング６０の上端が後ろ側に倒れるにつれて、つまり抱擁体１０が聴取者から離されるにつれてピッチ角θｐは大きくなり、主面が上側を向く水平状態でピッチ角θｐは「９０度」となる。一方、ハウジング６０の上端が前側に倒れるにつれて、つまり抱擁体１０が聴取者側に傾けられるにつれてピッチ角θｐは小さくなり、主面が下側を向く水平状態でピッチ角θｐは「−９０度」となる。なお、ハウジング６０の上端が下側を向いた状態、つまり抱擁体１０の上下が逆さまになった状態では、ピッチ角θｐは「１８０度」または「−１８０度」となる。そして、このピッチ角θｐが数１に示す第１角度範囲となった場合、音声の音量を下げる処理が実行される。
【０１０４】
［数１］
第１角度範囲：４０＜θｐ＜１８０
図１２を参照して、抱擁体１０が聴取者から離された姿勢にされてピッチ角θｐが大きくなり、ピッチ角θｐが第１角度範囲に入ると、音声の音量が下げられる。たとえば、聴取者は、ＦＭ受信機から出力される音声がうるさい場合、自身から抱擁体１０を離すことが想定される。そして、第２実施例では、聴取者は図１２に示すように抱擁体１０を自身から離すだけで、ＦＭ受信機２０から出力される音声の音量を下げることが出来る。
【０１０５】
次に、特定姿勢として、抱擁体１０を聴取者側に傾ける姿勢が検出された場合、出力されている音声の音量が上がる。具体的には、上述したピッチ角θｐが数２に示す第２角度範囲となった場合、音声の音量を上げる処理が実行される。
【０１０６】
［数２］
第２角度範囲：−２０＞θｐ＞−１８０
図１３を参照して、聴取者が抱擁体１０を自分側に傾け、抱擁体１０が聴取者側に傾いた姿勢にされてピッチ角θｐが小さくなり、ピッチ角θｐが第２角度範囲に入ると、音声の音量が上げられる。つまり、聴取者は、音量を下げたときとは逆の方向に抱擁体１０を傾けることで、音声の音量を上げることが出来る。これにより、音声が聞き取りづらい場合、聴取者は容易に音量を上げることが出来る。
【０１０７】
また、抱擁体１０が聴取者から離された姿勢が維持されている場合、所定時間（たとえば、２秒）が経過する毎に、音量が連続して下げられる。そして、抱擁体１０を元の姿勢、たとえば図１０（Ｂ）に示す姿勢に戻ると、音声を下げる処理は実行されなくなる。
【０１０８】
一方、抱擁体１０を聴取者側に傾ける姿勢が維持されている場合、所定時間が経過する毎に、音量が連続して上げられる。そして、抱擁体１０の姿勢が元の姿勢に戻されると、音量を上げる処理は実行されなくなる。
【０１０９】
このように、聴取者は、抱擁体１０の特定姿勢を維持することで、所望の音量になるまで、音声の音量を調整することが出来る。
【０１１０】
なお、図１２に示す姿勢だけでなく、聴取者が顔を抱擁体１０に密着させた状態で、図１２に示す方向に抱擁体１０を傾けた（倒した）場合でも、音量は下げられる。この場合、聴取者は、音声の音量の変化を確認することが出来るため、所望の音量となったところで抱擁体１０の姿勢を戻しやすくなる。
【０１１１】
次に、特定姿勢として、抱擁体１０が抱擁されていない姿勢が検出された場合、音量は最低値に設定される。以下、音量を最低値に設定する処理について具体的に説明する。
【０１１２】
図１４を参照して、ロール角θｒは、図１４の状態で「０度」となり、ハウジング６０の左側を持ち上げるように回転させるにつれてロール角θｒは大きくなり、ハウジング６０の左側が上を向いた状態でロール角θｒは「９０度」となる。一方、ハウジング６０の右側を持ち上げるように回転させるにつれてロール角θｒは小さくなり、ハウジング６０の右側が上を向いた状態でロール角θｒは「−９０度」となる。なお、ハウジング６０の主面が下側を向いた位状態では、ロール角θｒは「１８０度」または「−１８０度」となる。
【０１１３】
そして、抱擁体１０が図１５に示すように置かれている場合、ロール角θｒは約９０度（約−９０度）となる。そこで、第２実施例では、９０度の絶対値を中心とした±４０度の角度範囲を第３角度範囲とする。そして、ロール角θｒが数３に示す第３角度範囲となった場合、音声の音量は最低値（たとえば、０）となるように設定される。
【０１１４】
［数３］
第３角度範囲：１３０＞｜θｒ｜＞５０
図１５を参照して、聴取者が抱擁体１０を離して、抱擁体１０を床などに置くと、ロール角θｒが約９０度となりロール角θｒが第３角度範囲に入ると、音声の音量が最低値となるように設定される。抱擁体１０が床などに置かれた場合は、聴取者はＦＭ受信機２０から出力される音声を聞くつもりがないと考えられるため、ＦＭ受信機２０から音声が出力されないようにされる。これにより、聴取者によって抱擁されていない抱擁体１０（ＦＭ受信機２０）から出力される音声が他の聴取者に影響を与えないようにすることが出来る。
【０１１５】
以上の説明から分かるように、抱擁体１０が聴取者から離されたり、聴取者側に傾けられた、床に置かれたりすると、音声の音量が下げられたり、音量が上げられたり、音声の出力が停止されたりする。つまり、聴取者は、特定姿勢となるように抱擁体１０を抱擁するだけで、音量を任意に調整することが出来る。
【０１１６】
上述では第２実施例の特徴を概説した。以下では、図１６に示すメモリマップおよび図１７、図１８に示すフロー図を用いて本実施例について詳細に説明する。
【０１１７】
図１６はＦＭ受信機２０のメモリ１２２のメモリマップの一例を示す図解図である。図１６に示すように、メモリ１２２はプログラム記憶領域３０２およびデータ記憶領域３０４を含む。プログラム記憶領域３０２には、出力される音声の音量を制御するための音量制御プログラム３１０などが記憶される。なお、図示は省略するが、ＦＭ受信機２０を動作させるためのプログラムには、ディスプレイ６２の表示を制御するためのプログラムなども含まれる。
【０１１８】
データ記憶領域３０４には、加速度バッファ３３０、姿勢バッファ３３２、音量バッファ３３４および姿勢カウンタ３３６などが設けられる。
【０１１９】
加速度バッファ３３０には、加速度センサ１２６から出力された加速度のデータが一時的に記憶される。姿勢バッファ３３２には、加速度バッファ３３０に記憶される加速度のデータなどに基づいて算出されたピッチ角θｐ、ロール角θｒおよびヨー角θｙが一時的に記憶される。音量バッファ３３４には、音量を示す値（以下、「音量値」と言う。）が一時的に記憶されている。なお、音声を出力する際には、音量バッファ３３４に記憶されている音量値が参照される。
【０１２０】
姿勢カウンタ３３６は、ＦＭ受信機２０（抱擁体１０）の姿勢が維持されているかを計測するためのカウンタであり、初期化されるとカウントを開始し、カウントを開始してから所定時間が経過すると満了する。また、姿勢カウンタ３３６は姿勢タイマと言われることもある。
【０１２１】
なお、図示は省略するが、データ記憶領域３０４には、様々な計算の結果を一時的に格納するバッファおよびＦＭ受信機２０の動作に必要な他のカウンタおよびフラグなども設けられる。
【０１２２】
ＦＭ受信機２０のプロセッサ１１０は、ａｎｄｒｏｉｄ（登録商標）などのＯＳの制御下で、図１７および図１８に示す音量制御処理などを含む、複数のタスクを処理する。
【０１２３】
図１７は音量制御処理の一部のフロー図である。たとえば、ＦＭ受信機２０の電源がオンにされると、音量制御処理が実行される。
【０１２４】
音声制御処理が実行されると、プロセッサ１１０はステップＳ１で、音量の初期値を設定する。つまり、音量バッファ３３４に対して、音量の初期値が記憶される。続いて、ステップＳ３でプロセッサ１１０は、ピッチ角θｐが第１角度範囲か否かを判断する。たとえば、図１２に示すように抱擁体１０が聴取者から離された姿勢であるかが判断される。具体的には、姿勢バッファ３３２からピッチ角θｐが読み出され、そのピッチ角θｐが数１に示す第１角度範囲内に含まれているかが判断される。ステップＳ３で“ＹＥＳ”であれば、つまり抱擁体１０が聴取者から離された姿勢である場合、ステップＳ５でプロセッサ１１０は、音量を下げる。たとえば、音量バッファ３３４に記憶されている音量値がディクリメント（−１）される。続いて、ステップＳ７でプロセッサ１１０は、姿勢タイマをオンにする。つまり、姿勢カウンタ３３６が初期化され、抱擁体１０が聴取者から離された姿勢が維持されている時間の計測が開始される。
【０１２５】
続いて、ステップＳ９でプロセッサ１１０は、姿勢タイマが満了したか否かを判断する。つまり、プロセッサ１１０は、抱擁体１０が聴取者から離された姿勢のまま所定時間が経過したかを判断する。ステップＳ９で“ＹＥＳ”であれば、つまり抱擁体１０が聴取者から離された姿勢のまま所定時間が経過すると、プロセッサ１１０はステップＳ５の処理に戻る。つまり、音量が再び下げられる。
【０１２６】
一方、ステップＳ９で“ＮＯ”であれば、抱擁体１０が聴取者から離された姿勢のまま所定時間が経過していなければ、ステップＳ１１でプロセッサ１１０は、姿勢が変化したか否かを判断する。つまり、抱擁体１０（ＦＭ受信機２０）の姿勢が変化し、加速度バッファ３３０に記憶される加速度のデータが変化したかが判断される。ステップＳ１１で“ＮＯ”であれば、つまり抱擁体１０の姿勢が変化していなければ、プロセッサ１１０はステップＳ９の処理に戻る。つまり、抱擁体１０が聴取者から離された姿勢のまま所定時間が経過したかが再び判断される。
【０１２７】
一方、ステップＳ１１で“ＹＥＳ”であれば、つまり抱擁体１０の姿勢が変化すれば、ステップＳ１３でプロセッサ１１０は、音声の出力が停止したか否かを判断する。たとえば、ＦＭ信号が受信されなくなったかが判断される。ステップＳ１３で“ＹＥＳ”であれば、たとえばＦＭ信号が受信されなくなると、プロセッサ１１０は音量制御処理を終了する。
【０１２８】
また、ステップＳ１３で“ＮＯ”であれば、たとえばＦＭ信号が受信されており、音声の出力が停止していなければ、ステップＳ３の処理に戻る。
【０１２９】
ステップＳ３で“ＮＯ”であれば、つまり抱擁体１０が聴取者から離された姿勢でなければ、ステップＳ１５でプロセッサ１１０は、ピッチ角θｐが第２角度範囲か否かを判断する。たとえば、図１３に示すように抱擁体１０を聴取者側に傾けた姿勢であるかが判断される。具体的には、姿勢バッファ３３２からピッチ角θｐが読み出され、そのピッチ角θｐが数２に示す第２角度範囲内に含まれているかが判断される。ステップＳ１５で“ＹＥＳ”であれば、つまり抱擁体１０を聴取者側に傾けた姿勢であれば、ステップＳ１７でプロセッサ１１０は、音量を上げる。たとえば、音量バッファ３３４に記憶されている音量値をインクリメント（＋１）する。続いて、ステップＳ１９でプロセッサ１１０は、姿勢タイマをオンにする。つまり、姿勢カウンタ３３６が初期化され、抱擁体１０を聴取者側に傾けた姿勢が維持されている時間の計測が開始される。
【０１３０】
続いて、ステップＳ２１でプロセッサ１１０は、姿勢タイマが満了したか否かを判断する。つまり、プロセッサ１１０は、抱擁体１０を聴取者側に傾けた姿勢のまま所定時間が経過したかを判断する。ステップＳ２１で“ＹＥＳ”であれば、つまり抱擁体１０を聴取者側に傾けた姿勢のまま所定時間が経過すると、プロセッサ１１０はステップＳ１７の処理に戻る。つまり、音量が再び上げられる。
【０１３１】
一方、ステップＳ２１で“ＮＯ”であれば、つまり抱擁体１０を聴取者側に傾けた姿勢のまま所定時間が経過していなければ、ステップＳ２３でプロセッサ１１０は、ステップＳ１１と同様、姿勢が変化したか否かを判断する。ステップＳ２３で“ＮＯ”であれば、つまり姿勢が変化していなければ、プロセッサ１１０はステップＳ２１の処理に戻る。つまり、抱擁体１０を聴取者側に傾けた姿勢のまま所定時間が経過したかが再び判断される。一方、ステップＳ２３で“ＹＥＳ”であれば、つまり抱擁体１０の姿勢が変化していれば、プロセッサ１１０はステップＳ１３の処理に進む。
【０１３２】
また、ステップＳ１５で“ＮＯ”であれば、つまり抱擁体１０を聴取者側に傾けた姿勢でなければ、図１８のステップＳ２５でプロセッサ１１０は、ロール角θｒが第３角度範囲か否かを判断する。つまり、抱擁体１０が抱擁されていない姿勢であるかが判断される。具体的には、姿勢バッファ３３２からロール角θｒが読み出され、そのロール角θｒが数３に示す第３角度範囲内に含まれているかが判断される。ステップＳ２５で“ＮＯ”であれば、つまり抱擁体１０が抱擁されていない姿勢でなければ、プロセッサ１１０はステップＳ１３の処理に進む。
【０１３３】
一方、ステップＳ２５で“ＹＥＳ”であれば、つまり抱擁体１０が抱擁されていない姿勢であれば、ステップＳ２７でプロセッサ１１０は、音量を最低値に設定する。たとえば、音量バッファ３３４に記憶される音量値が「０」にされる。
【０１３４】
続いて、ステップＳ２９でプロセッサ１１０は、抱擁された姿勢か否かを判断する。つまり、抱擁体１０が再び抱擁されたかが判断される。具体的には、姿勢バッファ３３２からロール角θｒが読み出され、そのロール角θｒが数３に示す第３角度範囲内に含まれていないかが判断される。ステップＳ２９で“ＹＥＳ”であれば、たとえば抱擁体１０が再び抱擁されると、ステップＳ３１でプロセッサ１１０は、ステップＳ１と同様、音量の初期値を設定する。つまり、ＦＭ受信機２０は、音声を再び出力する。そして、ステップＳ３１の処理が終了すると、プロセッサ１１０はステップＳ１３の処理に進む。
【０１３５】
また、ステップＳ２９で“ＮＯ”であれば、たとえば抱擁体１０が再び抱擁されていなければ、ステップＳ３３でプロセッサ１１０は、ステップＳ１３と同様、音声の出力が終了したか否かを判断する。ステップＳ３３で“ＮＯ”であれば、つまり音声の出力が停止していなければ、プロセッサ１１０はステップＳ２９の処理に戻る。
【０１３６】
一方、ステップＳ３３で“ＹＥＳ”であれば、たとえば床に抱擁体１０が置かれた状態で、ＦＭ信号が受信されなくなると、プロセッサ１１０は音声制御処理を終了する。
【０１３７】
なお、ステップＳ５，Ｓ１７，Ｓ２７の処理を実行するプロセッサ１１０は音量制御手段として機能する。
【０１３８】
また、他の実施例の音声制御処理では、ステップＳ１５−Ｓ３３が省略されてもよい。つまり、抱擁体１０が聴取者から離された姿勢では音声の音量を下げるが、他の姿勢では音量が変化しないようにしてもよい。
【０１３９】
＜第３実施例＞
第３実施例では、ＦＭ受信機２０に代えて、ＦＭラジオ機能を有する携帯電話機２００が受信手段として利用される。以下、第３実施例について説明するが、講話システム１００の構成、抱擁体１０の外観および音量の制御などについては、第１実施例および第２実施例と略同じであるため、重複した説明は省略する。
【０１４０】
図１９を参照して、第３実施例の携帯電話機２００は、一例としてスマートフォン（smartphone）であり、縦長の扁平矩形のハウジング２０２を含む。
【０１４１】
ハウジング２０２の主面（表面）には、たとえば液晶や有機ＥＬなで構成され、ディスプレイ２０４が設けられる。ディスプレイ２０４の上には、タッチパネル２０６が設けられる。
【０１４２】
ハウジング２０２の縦方向一端の主面側にスピーカ２１０が内蔵され、縦方向他端の主面側にマイク２０８が内蔵される。
【０１４３】
ハウジング２０２の主面には、タッチパネル２０６と共に入力操作手段を構成するハードキーとして、この実施例では、キー２１４が設けられる。
【０１４４】
たとえば、ユーザは、ディスプレイ２０４に表示されたダイヤルパッドに対して、タッチ操作が行われると電話番号が入力され、通話を開始するソフトキーにタッチ操作がされると音声通話が開始される。通話を終了するためのソフトキーにタッチ操作がされると音声通話が終了する。
【０１４５】
また、キー２１４が操作されると、ディスプレイ２０４にホーム画面が表示される。ユーザは、その状態でディスプレイ２０４に表示されているソフトキーに対してタッチ操作を行うことで、任意のアプリケーションを実行することが出来る。
【０１４６】
なお、携帯電話機２００は、後述するＦＭ受信回路２５０を有しており、ＦＭラジオ機能などを実行することが可能である。
【０１４７】
図２０を参照して、図１９に示す実施例の携帯電話機２００は、コンピュータまたはＣＰＵと呼ばれるプロセッサ２３０などを含む。プロセッサ２３０には、バス２３２を介して、無線通信回路２３４、Ａ／Ｄ変換器２３８、Ｄ／Ａ変換器２４０、入力装置２４２、表示ドライバ２４４、メモリ２４６、タッチパネル制御回路２４８、ＦＭ受信回路２５０および加速度センサ２５４などが接続される。なお、表示ドライバ２４４、タッチパネル制御回路２４８およびＦＭ受信回路２５０については、ＦＭ受信機２０のものと略同じであるため、詳細な説明は省略する。
【０１４８】
プロセッサ２３０は、携帯電話機２００の全体制御を司る。メモリ２４６はＲＯＭおよびＲＡＭを含む。ＲＯＭには、コンテンツデータなどが記録されている。ＲＡＭには、ＲＯＭに予め設定されているプログラムの全部または一部が使用に際して展開され、プロセッサ２３０はこのＲＡＭ上のプログラムに従って動作する。また、ＲＡＭはさらに、プロセッサ２３０のワーキング領域ないしバッファ領域として用いられる。
【０１４９】
入力装置２４２は、図１に示すキー２１４を含むものである。そのため、キー２１４に対するキー操作を受け付ける操作受付部を構成する。操作受付部が受け付けたハードキーの情報（キーデータ）はプロセッサ２３０に入力される。
【０１５０】
無線通信回路２３４は、アンテナ２３６を通して、音声通話やメールなどのための電波を送受信するための回路である。実施例では、無線通信回路２３４は、ＣＤＭＡ方式での無線通信を行うための回路である。たとえば、タッチパネル２０６が受け付けた発呼（音声発信）の操作に基づき、無線通信回路２３４は、プロセッサ２３０の指示の下、音声発信処理を実行し、アンテナ２３６を介して音声発信信号を出力する。音声発信信号は、基地局および通信網を経て相手の電話機に送信される。そして、相手の電話機において音声着信処理が行われると、通信可能状態が確立され、プロセッサ２３０は通話処理を実行する。
【０１５１】
Ａ／Ｄ変換器２３８には図１に示すマイク２０８が接続され、上述のようにマイク２０８からの音声信号はこのＡ／Ｄ変換器２３８でディジタルの音声データに変換され、プロセッサ２３０に入力される。一方、Ｄ／Ａ変換器２４０にはスピーカ２１０が接続される。Ｄ／Ａ変換器２４０は、ディジタルの音声データを音声信号に変換して、アンプを介してスピーカ２１０に与える。したがって、音声データに基づく音声がスピーカ２１０から出力される。そして、通話処理が実行されている状態では、マイク２０８によって集音された音声が相手の電話機に送信され、相手の電話機で集音された音声が、スピーカ２１０から出力される。
【０１５２】
加速度センサ２５４は、検出手段とも言われ、携帯電話機２００の傾きや動きを検出する。たとえば、加速度センサ２５４は、ＦＭ受信機２０の加速度センサ１２６と同様、携帯電話機２００における３軸(X,Y,Z)方向の加速度を検出する。また、加速度センサ２５４は、重力を検出することで上述した３軸(X,Y,Z)の回転（角速度）も検出することが可能である。そして、携帯電話機２００のプロセッサ２３０は、加速度センサ２５４が出力する３軸の角速度および３軸方向の加速度に基づいて、携帯電話機２００の傾きや、動きを検出する。
【０１５３】
図２１は携帯電話機２００の加速度センサ２５４によって検出される加速度の３つの軸の一例を示す図解図である。図２１に示す姿勢の携帯電話機２００に対して横方向がＸ軸となり、携帯電話機２００に対して縦方向がＹ軸となり、携帯電話機２００の裏側から表側の方向がＺ軸となる。そして、第３実施例の加速度センサ２５４は、これらのＸＹＺ軸方向の加速度を検出すると共に、各軸周りの回転も検出することが可能である。
【０１５４】
また、第３実施例でも、Ｘ軸の回転角をピッチ角と言い、Ｙ軸の回転角をヨー角と言い、Ｚ軸の回転角をロール角と言う。携帯電話機２００のピッチ角、ヨー角およびロール角も、加速度センサ２５４によって検出される重力および加速度を利用して算出される。
【０１５５】
ここで、図２２（Ａ）を参照して、第３実施例の携帯電話機２００は、第２実施例のＦＭ受信機２０と同様、ハウジング２０２の上部が上側となり、かつ主面側に内蔵されているスピーカ２１０が聴取者の顔に向くように、抱擁体１０のポケット１８に収納される。これにより、第２実施例で示した図１０（Ｂ）と同様、抱擁体１０が聴取者によって抱擁されると、スピーカ２１０（ポケット１８）が聴取者の顔（耳）に近接した状態となる。
【０１５６】
したがって、第３実施例でも、第２実施例と同様、音声の音量を制御することが出来る。なお、抱擁体１０と携帯電話機２００の姿勢との関係などについては、第２実施例と略同じであるため詳細な説明は省略する。
【０１５７】
なお、第１−第３実施例では、抱擁体１０の外観を人のミニマルデザインとすることで、聴取者の注意が抱擁体１０に惹かれにくくなり、聴取者が話に集中しやすくなる。ただし、抱擁体１０は、抱擁しやすい形状であればよいため、外観が人間のミニマルデザインでなくてもよい。たとえば、抱擁体１０の外観は、本体１２から腕部１２ｃが省略されたものであってもよい。また、抱擁体１０の外観が、動物やキャラクタなどであってもよい。この場合、抱擁体１０は人形またはぬいぐるみと言われることもある。また、抱擁体１０の大きさは、聴取者の身体の大きさや、年齢に応じて変更されてもよい。
【０１５８】
また、抱擁体１０に対して、左右の腕を通す腕通し部を設けるようにしてもよい。たとえば、聴取者は、腕通し部に左右の腕を通すことで、頭部１２ａすなわちＦＭ受信機２０の位置が安定的に保持されるので、話者の話を安定的に聞くことが出来るとともに、抱擁体１０の頭部１２ａが聴取者の頬に接触するようになるので、さらなる癒しを聴取者に与えることができる。
【０１５９】
また、抱擁体１０にヒータを埋め込んで聴取者の腕を温めたり、抱擁体１０の頭部１２ａににおい袋を収納するための別ポケットを設けたり、抱擁体１０の内蔵物１６の中にバルーンを収納して抱擁体１０の硬さを調節したり、抱擁体１０の一部または全体が動くようにしたりして、さらなる癒しを聴取者に与えるようにしてもよい。
【０１６０】
また、聴取者は、子どもだけに限らず、発達障害をもつ人や、高齢者などであってもよい。たとえば、老人ホームなどの施設で公演などを行う際に、講話システム１００の利用が考えられる。
【０１６１】
また、本実施例では、ＦＭ受信機２０とＦＭ送信機３２とは無線通信している状態であったが、有線接続されていてもよい。そして、有線接続される場合は、ＦＭ受信機２０とＦＭ送信機３２とは、有線接続に対応する受信手段と送信手段とに変更される。また、マイク３０およびＦＭ送信機３２についても、有線接続されてもよいし、無線通信が行われてもよい。
【０１６２】
また、マイク３０、ＦＭ送信機３２、ＰＣ４０およびミキサ５０の全てまたは一部が１つの装置にまとめられてもよい。
【０１６３】
また、図１に示したマイク３０はヘッドセット型であったが、話者が手で直接持つようなものであってもよい。
【０１６４】
また、抱擁体１０にバイブレータなどを内蔵し、任意または全部の抱擁体１０のバイブレータを動作せるような制御信号を、話者側から任意に送信できるようにしてもよい。たとえば、集中力が低下している聴取者の抱擁体１０のバイブレータを動作させることで、その聴取者の注意を抱擁体１０に引き戻して、話者の話に再び集中させるようにしてもよい。
【０１６５】
また、講話システム１００は、「（多人数）読み聞かせシステム」と言われたり、「セミナーシステム」と言われたりすることもある。
【０１６６】
また、第２実施例または第３実施例では、加速度センサに代えて、ジャイロセンサを利用してＦＭ受信機２０（携帯電話機２００）の姿勢が検出されてもよい。
【０１６７】
また、第２実施例または第３実施例では、ＦＭ受信機２０（携帯電話機２００）がポケット１８に収納される姿勢は、図１０（Ａ）または図２２に示すものだけでなくてもよい。たとえば、ＦＭ受信機２０（携帯電話機２００）の上下が逆であったり、左右に傾けられたりしてもよい。この場合、抱擁体１０のポケット１８に収納された後、音声を出力するタイミングに合わせてＦＭ受信機２０の姿勢が初期化される。具体的には、ＦＭ受信機２０がポケット１８に収納される実際の姿勢に関係なく、ＦＭ受信機２０が図１０に示すようにポケット１８に入れられた姿勢で出力されるロール角θｒ、ピッチ角θｐおよびヨー角θｙと同じ値となるように、角度センサ１２６の出力が初期化（補正）される。これにより、聴取者等がＦＭ受信機２０を任意の姿勢でポケット１８に収納したとしても、抱擁体１０の特定姿勢が適切に検出される。
【０１６８】
また、第２実施例または第３実施例の他の例では、ピッチ角θｐまたはロール角θｒなどを利用せずに、ＸＹＺの各軸の加速度の値の変化量などを利用して、抱擁体１０が聴取者から離された姿勢、抱擁体１０を聴取者側に傾ける姿勢および抱擁体１０が抱擁されていない姿勢などの特定姿勢を検出するようにしてもよい。
【０１６９】
また、第２実施例または第３実施例のその他の例では、抱擁体１０（ＦＭ受信機２０）を振るような動作が加速度センサ１２６の出力に基づいて検出された場合、音声の音量を初期化するようにしてもよい。これにより、聴取者は、音声の音量を任意に変化させたとしても、抱擁体１０（ＦＭ受信機２０）を振ることで、元の音量に戻すことができる。
【０１７０】
また、第２実施例または第３実施例の特定姿勢には、抱擁体１０を聴取者の正面側に傾ける姿勢などが含まれていてもよい。たとえば、抱擁体１０を聴取者の正面側に傾ける姿勢が検出された場合も、音声の音量が下げられる。
【０１７１】
そして、本明細書中で挙げた、具体的な数値は、いずれも単なる一例であり、製品の仕様変更などに応じて適宜変更可能である。
【符号の説明】
【０１７２】
１０  …抱擁体
１２  …本体
１４  …外被
１６  …内蔵物
１８  …ポケット
２０  …ＦＭ受信機
３０  …マイク
３２  …ＦＭ送信機
４０  …ＰＣ
５０  …ミキサ
１００  …講話システム
１１０  …プロセッサ
１２６  …加速度センサ
２３０  …プロセッサ
２５４  …加速度センサ
【図１】
0006746080.tif 000002
【図２】
0006746080.tif 000003
【図３】
0006746080.tif 000004
【図４】
0006746080.tif 000005
【図５】
0006746080.tif 000006
【図６】
0006746080.tif 000007
【図７】
0006746080.tif 000008
【図８】
0006746080.tif 000009
【図９】
0006746080.tif 000010
【図１０】
0006746080.tif 000011
【図１１】
0006746080.tif 000012
【図１２】
0006746080.tif 000013
【図１３】
0006746080.tif 000014
【図１４】
0006746080.tif 000015
【図１５】
0006746080.tif 000016
【図１６】
0006746080.tif 000017
【図１７】
0006746080.tif 000018
【図１８】
0006746080.tif 000019
【図１９】
0006746080.tif 000020
【図２０】
0006746080.tif 000021
【図２１】
0006746080.tif 000022
【図２２】
0006746080.tif 000023